(57)【要約】      （修正有）【課題】取付面と、取付面に直交する第２の面との間の角部に取り付ける際に、第２の面との間に隙間を設けることなく容易に取り付けることができる照明器具を提供する。【解決手段】器具本体２０Ａには、取付面１２に対して平行、かつ、器具本体２０Ａの中央部に向かって突出する器具本体爪部２７１、３２が設けられている。カバー５０Ａには、器具本体爪部２７１、開口３２と係合するカバー爪部５２、５５が設けられている。そして、器具本体２０Ａに対してカバー５０Ａを取付面１２と平行に移動することにより、器具本体爪部２７１、３２およびカバー爪部５２、５５が互いに係合した状態で、器具本体２０Ａにカバー５０Ａを固定する固定手段を有する。これにより、取付面１２と、取付面１２に直交する第２の面１３との間の角部に取り付ける際に、第２の面１３との間に隙間を設けることなく容易に取り付けることができる。【選択図】図２
2014207096.tif 000002
【特許請求の範囲】
【請求項１】
取付面に取付可能な平面略矩形状の器具本体と、
前記器具本体に支持される光源と、
前記光源を覆うとともに、前記器具本体に対して着脱可能に取り付けられ、透光性を有する略矩形箱状のカバーと、
前記器具本体に設けられ、前記取付面に対して平行、かつ、前記器具本体の中央部に向かって突出する器具本体爪部と、
前記カバーに設けられ、前記器具本体爪部と係合するカバー爪部と、
前記器具本体に対して前記カバーが前記取付面に対して平行に移動することにより前記器具本体爪部および前記カバー爪部が互いに係合した状態で前記器具本体に前記カバーを固定する固定手段と、を備える照明器具。
【請求項２】
請求項１に記載の照明器具において、
前記器具本体爪部および前記カバー爪部をそれぞれ複数有し、
前記各器具本体爪部は、前記器具本体に対する前記カバーの移動方向の上流側および下流側に設けられている照明器具。
【請求項３】
請求項１または請求項２に記載の照明器具において、
前記固定手段は、前記カバーを貫通して前記器具本体に螺合される固定ねじである照明器具。
【発明の詳細な説明】
【技術分野】
【０００１】
本発明は、交差する二面の角部に取り付けられる照明器具に関するものである。
【背景技術】
【０００２】
従来、屋外の壁面等に取り付けられる照明器具が、一般に良く知られている（例えば、特許文献１参照）。
図１３に示すように、特許文献１に記載の照明器具１００は、器具本体１０１と、器具本体１０１の前方を覆うセード１０２を有する。
器具本体１０１の前面には、電源線接続装置１０３と、照明ランプ１０４と、照明ランプ１０４を取り付けるソケット１０５を有する。ソケット１０５は電源線接続装置１０３に電気的に接続されており、電源線接続装置１０３から照明ランプ１０４点灯用の電力の供給を受ける。
【０００３】
器具本体１０１は、壁面に沿って固定される略四角形の板状の底部１０６を有する。底部１０６は、外周縁から略垂直に立ち上げられた側部１０７と、側部１０７から底部１０６と略平行に外方に延びる鍔部１０８を有する。
また、セード１０２は矩形箱状をしており、各辺に沿って枠１０９が設けられている。
【０００４】
器具本体１０１には、上側の略中央に断面Ｌ字状の板部材（図示省略）が設けられており、取付ねじ１１１が取り付けられている。また、器具本体１０１の下側の略中央には、ピン１１２が設けられている。
一方、セード１０２の枠１０９の上側の略中央には、取付ねじ１１１が通るねじ挿通孔１１３が設けられている。また、セード１０２の枠１０９の下側の略中央には、ピン１１２が挿通する孔１１４が設けられている。
【０００５】
従って、照明器具１００を壁面に取り付ける際には、まず、底部１０６を壁面にねじ等により取り付ける。次いで、照明ランプ１０４をソケット１０５に取り付ける。そして、セード１０２の下側の枠１０９の孔１１４に、器具本体１０１の側部１０７の下側に設けられたピン１１２を通し、枠１０９を器具本体１０１の鍔部１０８に合わせてはめ込んで、枠１０９の上側から取付ねじ１１１で取り付ける。
【先行技術文献】
【特許文献】
【０００６】
【特許文献１】特開２００３−６８１２７号公報（第１図）
【発明の概要】
【発明が解決しようとする課題】
【０００７】
しかしながら、前述したような従来の照明器具１００においては、器具本体１０１に対してセード１０２を取り付ける際に、まずセード１０２を斜めに保持して、セード１０２の孔１１４にピン１１２を通す。
この際、照明器具１００の取り付け位置の下方に、壁面と交差する第２の面がある場合には、第２の面にセード１０２を接触させて傷付けないように注意しながら取り付けを行わねばならない。このため、取付作業に注意が必要であり作業性が悪いという問題があった。
また、セード１０２を斜めにして取り付けるため、取付位置と第２の面との間に空間が必要となり、取付後に第２の面との間に隙間が空くため外観上好ましくないという問題があった。
【０００８】
本発明は、従来の問題を解決するためになされたもので、取付面と、取付面に直交する第２の面との間の角部に取り付ける際に、第２の面との間に隙間を設けることなく容易に取り付けることができる照明器具を提供することを目的とする。
【課題を解決するための手段】
【０００９】
本発明の照明器具は、取付面に取付可能な平面略矩形状の器具本体と、前記器具本体に支持される光源と、前記光源を覆うとともに、前記器具本体に対して着脱可能に取り付けられ、透光性を有する略矩形箱状のカバーと、前記器具本体に設けられ、前記取付面に対して平行、かつ、前記器具本体の中央部に向かって突出する器具本体爪部と、前記カバーに設けられ、前記器具本体爪部と係合するカバー爪部と、前記器具本体に対して前記カバーが前記取付面に対して平行に移動することにより前記器具本体爪部および前記カバー爪部が互いに係合した状態で前記器具本体に前記カバーを固定する固定手段と、を備えるものである。
【００１０】
また、本発明の照明器具は、前記器具本体爪部および前記カバー爪部をそれぞれ複数有し、前記各器具本体爪部は、前記器具本体に対する前記カバーの移動方向の上流側および下流側に設けられているものである。
【００１１】
さらに、本発明の照明器具は、前記固定手段は、前記カバーを貫通して前記器具本体に螺合される固定ねじであるものである。
【発明の効果】
【００１２】
本発明は、器具本体に対してカバーを取付面と平行に移動することにより、器具本体爪部およびカバー爪部が互いに係合した状態で器具本体にカバーを固定する固定手段を有する。これにより、取付面と、取付面に直交する第２の面との間の角部に取り付ける際に、第２の面との間に隙間を設けることなく容易に取り付けることができるという効果を有する照明器具を提供できる。
【図面の簡単な説明】
【００１３】
【図１】本発明に係る第１実施形態の照明器具の使用状態を示す斜視図
【図２】取付面に取り付けられた器具本体にカバーを着脱する状態を示す分解斜視図
【図３】器具本体を斜め前方から見た斜視図
【図４】器具本体を斜め上方から見た斜視図
【図５】カバーの背面図
【図６】図５中ＶＩ−ＶＩ位置の断面図
【図７】カバーを器具本体に取り付けた状態の中央における断面図
【図８】本発明に係る第１実施形態の照明器具を後方から見た斜視図
【図９】器具本体を裏面側から見た斜視図
【図１０】本発明に係る第２実施形態の照明器具の分解斜視図
【図１１】本発明に係る照明器具における変形例を示す断面図
【図１２】本発明に係る照明器具における別の変形例を示す説明図
【図１３】従来の照明器具の分解斜視図
【発明を実施するための形態】
【００１４】
（第１実施形態）
以下、本発明に係る第１実施形態の照明器具について、図面を用いて説明する。
図１に示すように、本発明に係る第１実施形態の照明器具１０Ａは、例えば塀１１において、鉛直面である取付面１２と、水平面である第２の面１３とからＬ字形状に形成される角部に取り付けて、門灯として使用することができる。
なお、以下の説明においては、鉛直方向上側を「上」とし、鉛直方向下側を「下」とする。また、取付面１２に垂直な方向（すなわち水平方向）を「前」とし、取付面１２と反対側を「後」とする。
【００１５】
図２に示すように、照明器具１０Ａは、取付面１２に取付可能な平面略矩形板状の器具本体２０Ａと、器具本体２０Ａの前側に着脱可能に取り付けられるカバー５０Ａを有する。
図２および図３に示すように、器具本体２０Ａは、矩形板状のベース２１を有する。ベース２１の前面２１１には、ランプ（光源）４１を着脱可能に装着するソケット４２が取り付けられている。また、ベース２１の前面２１１には、ソケット４２に点灯電力を供給する電源装置４３が取り付けられている。電源装置４３は、商用電源に接続されるとともに、端子台を有する。
電源装置４３の上方には、水避け板４４がベース２１の前面２１１に取り付けられている。水避け板４４は、器具本体２０Ａの中央側が高く、器具本体２０Ａの端部側が低くなるように傾斜している。
【００１６】
図８に示すように、ベース２１の裏面２１２には、四隅に凸部２１３が後方（すなわち、取付面１２側）に向かって突設されている。また、ベース２１の裏面２１２における凸部２１３の間には、パッキン２１４が設けられている。
これにより、ベース２１は、裏面２１２が取付面１２と面接触せずに、パッキン２１４をある程度押し潰した状態で、凸部２１３が取付面１２に接触して取り付けられる。
【００１７】
図３および図４に示すように、ベース２１の上辺２２は、前方に折曲げられ（上面２３１）、さらに下方に折曲げられて（前面２３２）、断面Ｌ字形状の上外枠２３が設けられている。
上外枠２３の前面２３２における器具本体２０Ａの幅方向中央部には、固定手段である固定ねじ受け台２４が設けられている。固定ねじ受け台２４は、半長円形状をしたブロック状部材であり、中央に固定ねじ５６（図７参照）が螺合するねじ孔２４１を有する。
【００１８】
図４に示すように、上外枠２３の前側および固定ねじ受け台２４の前側には、上方が開口した上樋２７が、上外枠２３の略全幅にわたって設けられている。上樋２７は、固定ねじ受け台２４の前側に設けられている受け台部樋２７２において最も高く、左右外側に向かって下降するように傾斜している。上樋２７における固定ねじ受け台２４の左右の前面２７１は取付面１２に対して平行であり、後述するカバー５０Ａを取り付ける際に上側の器具本体爪部として機能する。
そして、上樋２７の左右両端部においては、上外枠２３の前面２３２の下端部が切欠かれて、水抜き孔２３３が設けられている。水抜き孔２３３の前側では、上樋２７の底面は後方に向かって傾斜している。
【００１９】
ベース２１の左右の側外枠２５は、前方に折曲げられ（側面２５１）、さらに内側に折曲げられて（前面２５２）、断面Ｌ字形状の側外枠２５が設けられている。
上外枠２３の前面２３２および両側外枠２５の前面２５２には、防水用のパッキン２６が貼付けられている。
【００２０】
側外枠２５の内側には、角筒形状（あるいは、コ字形状）の側樋２８が側外枠２５に沿って設けられている。側樋２８は、ベース２１の前面２１１に取り付けられており、側樋２８の前面２８１は上樋２７の前面２７１と同一面になっている。
側樋２８の上端部に対応する上外枠２３の前面２３２には、水抜き孔２３３が開口している。側樋２８の上端面２８２は水抜き孔２３３を通って後方へ延びており、後方が下がるように傾斜している。
【００２１】
図２および図３に示すように、ベース２１の前面２１１下辺には、下枠２９が器具本体２０Ａの全幅にわたって設けられている。
下枠２９の前面２９１は、左右の側外枠２５の前面２５２と同一面となっている。従って、上外枠２３の前面２３２、両側外枠２５の前面２５２および下枠２９の前面２９１は、取付面１２に対して平行な同一面上にある。
下枠２９の器具本体２０Ａの幅方向中央には、開口３２が設けられている。開口３２は、後述するカバー５０Ａを取り付ける際に下側の器具本体爪部として機能する。
また、下枠２９の下面２９２には、両側端部に水抜き孔２９３が設けられている。
なお、下枠２９の上側には、底板３１が設けられている。底板３１は、側樋２８と同じ高さ（前方への突出量）を有する。
【００２２】
図１および図２に示すように、カバー５０Ａは、透光性を有する略矩形箱状を呈しており、後面（取付面１２側面）が開口（開口５１）している。
図５に示すように、開口５１の上辺には、上カバー爪部５２がカバー５０Ａの略全幅にわたって下方に突出して設けられている。上カバー爪部５２におけるカバー５０Ａの幅方向中央には、固定ねじ受け台２４および固定ねじ受け台２４の前方に設けられている上樋２７との干渉を避けるための半長円形状の受け台回避部５３が設けられている（図６参照）。受け台回避部５３の中央には、固定ねじ５６用の貫通孔５３１が設けられている。
【００２３】
開口５１の下辺には、リブ５４がカバー５０Ａの略全幅にわたって上方に突出して設けられている。リブ５４におけるカバー５０Ａの幅方向中央には、断面Ｌ字形状の下カバー爪部５５が設けられている。下カバー爪部５５は、後方に突出する水平部５５１と、水平部５５１の後端から下方に屈曲した垂直部５５２を有する（図６参照）。
従って、垂直部５５２は、取付時には取付面１２と平行になる。また、垂直部５５２は、カバー５０Ａの底面よりも下方に突出しない。
【００２４】
下カバー爪部５５の長さは、器具本体２０Ａのベース２１の下辺に設けられている開口３２の長さよりも小さい。
また、リブ５４の両端部には、下方に切欠かれた水抜き凹部５４１が設けられている。水抜き凹部５４１は、器具本体２０Ａの側樋２８の下方に位置する。
カバー５０Ａは、固定ねじ５６（図１および図７参照）によって器具本体２０Ａに固定される。
【００２５】
次に、照明器具１０Ａの動作について説明する。
まず、照明器具１０Ａを取付面１２に取り付ける取付動作について説明する。
図２に示すように、器具本体２０Ａを取付面１２の所定位置に取り付ける。次いで、カバー５０Ａを器具本体２０Ａの前方から器具本体２０Ａに近づけて、カバー５０Ａの下カバー爪部５５を、器具本体２０Ａの開口３２に挿入する（図２中矢印Ａ１およびＢ１参照）。そして、カバー５０Ａを器具本体２０Ａの側外枠２５の前面２５２のパッキン２６に押し付けながら、取付面１２と平行に下方へ移動させる。
【００２６】
これにより、カバー５０Ａの下カバー爪部５５の垂直部５５２が、器具本体２０Ａの開口３２から下方へ移動して、係止される。同時に、カバー５０Ａの上カバー爪部５２が、器具本体２０Ａの上樋２７に挿入されて、前面２７１により係止される。
次に、カバー５０Ａの上部を取付面１２側へ押して、上カバー爪部５２を器具本体２０Ａの上辺のパッキン２６に押し付ける。この状態で、固定ねじ５６を、カバーの受け台回避部５３に設けられている貫通孔５３１に通して、器具本体２０Ａの固定ねじ受け台２４のねじ孔２４１に締付ける。
これにより、図７に示すように、照明器具１０Ａは取付面１２に取り付けられる。
【００２７】
次に、器具本体２０Ａとカバー５０Ａとの間から浸入した水の流れ方について説明する。
前述したように、器具本体２０Ａの上外枠２３の前面２３２にはパッキン２６が設けられており、カバー５０Ａの上カバー爪部５２がパッキン２６に押し付けられた状態で固定ねじ５６により固定されて、雨水等の侵入防止を図っている。
【００２８】
しかしながら、それでも器具本体２０Ａとカバー５０Ａとの間から雨水等が照明器具１０Ａの内部に侵入する。侵入した雨水等は、器具本体２０Ａに設けられている上樋２７によって受けられる。上樋２７は、外側に向かって下降するように傾斜しているので、上樋２７で受けられた雨水等は、両外側に向かって流れる。
そして、図８に示すように、上樋２７の両端に設けられている水抜き孔２３３（図４参照）から、器具本体２０Ａのベース２１の裏面２１２（すなわち、取付面１２側）に排水され、取付面１２と器具本体２０Ａとの間を伝って排水される。
【００２９】
また、カバー５０Ａの上面に取り付けられている固定ねじ５６を伝って照明器具１０Ａの内部に侵入する雨水等もある。この雨水等は、器具本体２０Ａの固定ねじ受け台２４に受けられて、受け台部樋２７２に流れ込む。その後は、前述した器具本体２０Ａとカバー５０Ａとの間から浸入した雨水等と同様にして排水される。
さらに、照明器具１０Ａ内部に侵入して上樋２７等に収容されない雨水等もある。この場合、上方から落下する際に、電源装置４３のように水に弱い部分には、雨水等がかからないように上側に水避け板４４が設けられているので、水避け板４４の傾斜によって側端部側へ送られる。図９に示すように、内部を落下した雨水等は、下枠２９の下面２９２に設けられている水抜き孔２９３から、外部に排水される。
【００３０】
以上、説明した本発明に係る第１実施形態の照明器具１０Ａの作用効果について説明する。
取付面１２に取付可能な平面略矩形状の器具本体２０Ａにはランプ４１が支持されており、ランプ４１を覆う透光性を有する矩形箱状のカバー５０Ａが器具本体２０Ａに取り付けられる。器具本体２０Ａには、取付面１２に対して平行、かつ、器具本体２０Ａの前方に向かって突出する上樋２７の前面２７１および開口３２が設けられている。カバー５０Ａには、前面２７１および開口３２と係合する上カバー爪部５２および下カバー爪部５５が設けられている。
そして、器具本体２０Ａに対して、カバー５０Ａを取付面１２と平行に移動することにより、前面２７１および開口３２と、上カバー爪部５２および下カバー爪部５５とが互いに係合する。この状態で、固定ねじ５６により器具本体２０Ａにカバー５０Ａを固定する。
これにより、照明器具１０Ａを、取付面１２と取付面１２に直交する第２の面１３との間の角部に取り付ける際に、第２の面１３との間に隙間を設けることなく容易に取り付けることができる。
【００３１】
また、本発明の照明器具１０Ａにおいては、前面２７１および開口３２と、上カバー爪部５２および下カバー爪部５５とはそれぞれ複数設けられている。前面２７１および開口３２は、器具本体２０Ａに対するカバー５０Ａの移動方向の上側（上流側）および下側（下流側）に設けられている。
このため、カバー５０Ａを、器具本体２０Ａに対して、上下位置においてがたつくことなく確実に取り付けることができる。
【００３２】
さらに、本発明の照明器具１０Ａにおいては、固定ねじ５６は、カバー５０Ａを貫通して器具本体２０Ａに螺合されるので、カバー５０Ａを確実に器具本体２０Ａに固定することができる。
【００３３】
（第２実施形態）
次に、本発明に係る第２実施形態の照明器具について説明する。
なお、前述した第１実施形態に係る照明器具１０Ａと共通する部位には同じ符号を付して、重複する説明を省略することとする。
図１０に示すように、第２実施形態の照明器具１０Ｂは、縦長の長方形状の器具本体２０Ｂおよびカバー５０Ｂを有する。
カバー５０Ｂの前面５０１には、中央に接着剤５７が塗布され、四隅には両面テープ５８が貼付けられており、遮光板５９が貼付けられている。
これにより、照明器具１０Ｂは、前方を照明せずに、周囲を照明する。
【００３４】
以上、説明した本発明に係る第２実施形態の照明器具１０Ｂによれば、前述した第１実施形態の照明器具１０Ａと同様の作用効果を得ることができる。
【００３５】
本発明の照明器具は、前述した各実施形態に限定されるものでなく、適宜な変形、改良等が可能である。
例えば、前述した各実施形態においては、鉛直面である取付面１２に照明器具１０Ａ、１０Ｂを取り付ける場合を例示した。このほか、図１１に示すように、照明器具１０Ｃを水平な第２の面１３に取り付けることも可能である。
この場合、第２の面１３に取り付けた器具本体２０Ｃに対して、カバー５０Ｃを上方から下降させて（図１１中矢印Ａ参照）から、第２の面１３と平行に移動させて（図１１中矢印Ｂ参照）、固定する。
このように構成することにより、前述した照明器具１０Ａ、１０Ｂと同様の作用・効果を得ることができる。
【００３６】
また、前述した各実施形態においては、カバー５０Ａ、５０Ｂを器具本体２０Ａ、２０Ｂに固定する固定手段として、固定ねじ５６を用いた場合を例示した。
このほか、図１２に示す照明器具１０Ｄのように、固定手段として、器具本体２０Ｄにバネ性を有する受け金具６１を設けるとともに、カバー５０Ｄに係止突起６２を設けることも可能である。
この場合、係止突起６２を受け金具６１に押し込んで、受け金具６１のばね力により係止突起６２を係止する。
これにより、カバー５０Ｄの着脱が容易になる。
【符号の説明】
【００３７】
１０Ａ、１０Ｂ、１０Ｃ、１０Ｄ  照明器具
１２  取付面
２０Ａ、２０Ｂ、２０Ｃ、２０Ｄ  器具本体
２７１  前面（器具本体爪部）
３２  開口（器具本体爪部）
４１  ランプ（光源）
５０Ａ、５０Ｂ、５０Ｃ、５０Ｄ  カバー
５２  上カバー爪部（カバー爪部）
５５  下カバー爪部（カバー爪部）
５６  固定ねじ（固定手段）
【図１】
2014207096.tif 000003
【図２】
2014207096.tif 000004
【図３】
2014207096.tif 000005
【図４】
2014207096.tif 000006
【図５】
2014207096.tif 000007
【図６】
2014207096.tif 000008
【図７】
2014207096.tif 000009
【図８】
2014207096.tif 000010
【図９】
2014207096.tif 000011
【図１０】
2014207096.tif 000012
【図１１】
2014207096.tif 000013
【図１２】
2014207096.tif 000014
【図１３】
2014207096.tif 000015